(57)【要約】【課題】構造が簡単で、リール本体の前後方向の長さをコンパクト化することができるとともに、釣糸の放出抵抗および巻き取り抵抗を効果的に軽減できる釣糸案内体を備えた魚釣用リールを提供する。【解決手段】魚釣用リールは、釣糸巻回用のスプール５Ａと、スプール５Ａから繰り出される釣糸を挿通し、ハンドルの回転操作に連動して往復移動する釣糸案内体６０を備えたレベルワインド装置５０とを有する。釣糸案内体６０は、釣糸巻き取り状態と釣糸放出状態との間で前後方向に回動可能に支持されるとともに釣糸放出状態で釣糸が位置する左右方向に幅広の開口部６８と、釣糸巻き取り状態で釣糸が位置する左右方向に幅狭の釣糸案内部６７と、釣糸巻き取り状態で釣糸を釣糸案内部から離脱させない規制部６９とを有する。規制部６９は、釣糸案内体６０に回転可能に支持されており、釣糸巻き取り状態時に釣糸に回転可能に接触して釣糸を釣糸案内部６７へ案内できる。【選択図】図２
2014042456.tif 000002
【特許請求の範囲】
【請求項１】
リール本体の左右側板間に回転自在に支持されたスプールと、
前記スプールから繰り出される釣糸を挿通させるとともに、ハンドルの回転操作に連動して前記スプールの前方において前記左右側板間で往復移動する釣糸案内体を備えたレベルワインド装置と、
を有する魚釣用リールにおいて、
前記釣糸案内体は、釣糸巻き取り状態と釣糸放出状態との間で前後方向に回動可能に支持されるとともに、前記釣糸放出状態で釣糸が位置する左右方向に幅広の開口部と、前記釣糸巻き取り状態で釣糸が位置する左右方向に幅狭の釣糸案内部と、前記釣糸巻き取り状態で釣糸を前記釣糸案内部から離脱させない規制部とを有し、
前記規制部は、前記釣糸案内体に回転可能に支持されており、前記釣糸巻き取り状態時に釣糸に回転可能に接触して釣糸を前記釣糸案内部へ案内できることを特徴とする魚釣用リール。
【請求項２】
前記釣糸案内体は、クラッチ機構のＯＮ／ＯＦＦ操作に連動して、前記釣糸巻き取り状態と前記釣糸放出状態との間で回動されることを特徴とする請求項１に記載の魚釣用リール。
【発明の詳細な説明】
【技術分野】
【０００１】
本発明は、スプール前方の側板間に、スプールに釣糸を平行に巻回案内する釣糸案内体を備えた魚釣用リールに関する。
【背景技術】
【０００２】
従来、両軸受型タイプの魚釣用リールには、左右側板間に回転可能に支持されたスプールに対して釣糸を均等に巻回するように、レベルワインド装置が配設されている。このレベルワインド装置は、一方の側板側に回転可能に配設されたハンドルの巻き取り操作に連動して、スプール前方で左右に往復動する釣糸案内体を備えており、前記釣糸案内体に釣糸が挿通されることで、スプールに対して釣糸を平行に巻回することが可能となっている。
【０００３】
ところで、上記した釣糸案内体は、例えば、仕掛けをキャスティングするとき、釣糸が接触して抵抗となってしまい、仕掛けの飛距離を低下させてしまうという問題がある。このような問題を解決するために、例えば、特許文献１には、釣糸案内体の釣糸案内部の形状を、上部では左右方向に横長形状にして釣糸放出時における釣糸挿通部とし、下部では中央を幅狭の釣糸案内用の溝部として釣糸巻き取り時の案内部とした構成が開示されている。そして、釣糸案内体の前後方向の近傍に、クラッチの切換操作に連動して上下方向に移動可能なピラーを配設し、釣糸放出時（クラッチＯＦＦ時）では、ピラーを上方に移動させて釣糸を釣糸挿通部に位置させて糸抵抗を軽減し、釣糸巻き取り時（クラッチＯＮ時）では、ピラーを下方に移動させて釣糸を幅狭の溝部に案内し、スプールに巻回される糸巻状態を向上するようにしている。
【先行技術文献】
【特許文献】
【０００４】
【特許文献１】特開２０１２−７０６８３号
【発明の概要】
【発明が解決しようとする課題】
【０００５】
しかし、上記した特許文献１に開示されている魚釣用リールは、左右側板間に配設されるピラーを上下動させて糸路制御する構成のため、構造が複雑になり易く、また、ピラー部材が必要になるため、コストが高くなってしまう。また、釣糸案内体の前後方向にピラーを配置する構成のため、リール本体の前後方向が大型化し易くなる。更に、特許文献１では、ピラーの上下動によって釣糸案内体に挿通される釣糸を釣糸挿通部と幅狭の溝部との間で移動させる糸路制御を行なう構成上、釣糸案内体の移動を含めた幅をピラーの幅（長さ）よりも小さくしなければならず、そのため、釣糸放出時に釣糸が位置される釣糸挿通部の幅寸法の増大にも限界があり、したがって、釣糸放出抵抗の低減にも限界がある。また、釣糸巻き取り時にピラーが固定状態で釣糸に押し付くため、釣糸とピラーとの間の摩擦抵抗が大きくなり、釣糸巻き取り操作性が低下する虞がある。
【０００６】
本発明は、上記した問題に着目してなされたものであり、構造が簡単で、リール本体の前後方向の長さをコンパクト化することができるとともに、釣糸の放出抵抗および巻き取り抵抗を効果的に軽減できる釣糸案内体を備えた魚釣用リールを提供することを目的とする。
【課題を解決するための手段】
【０００７】
上記した目的を達成するために、本発明は、リール本体の左右側板間に回転自在に支持されたスプールと、前記スプールから繰り出される釣糸を挿通させるとともに、ハンドルの回転操作に連動して前記スプールの前方において前記左右側板間で往復移動する釣糸案内体を備えたレベルワインド装置とを有する魚釣用リールにおいて、前記釣糸案内体は、釣糸巻き取り状態と釣糸放出状態との間で前後方向に回動可能に支持されるとともに、前記釣糸放出状態で釣糸が位置する左右方向に幅広の開口部と、前記釣糸巻き取り状態で釣糸が位置する左右方向に幅狭の釣糸案内部と、前記釣糸巻き取り状態で釣糸を前記釣糸案内部から離脱させない規制部とを有し、  前記規制部は、前記釣糸案内体に回転可能に支持されており、前記釣糸巻き取り状態時に釣糸に回転可能に接触して釣糸を前記釣糸案内部へ案内できることを特徴とする。
【０００８】
上記した構成の魚釣用リールでは、レベルワインド装置を構成する釣糸案内体が、左右方向に幅狭の釣糸案内部と、左右方向に幅広の開口部と、釣糸巻き取り状態で釣糸を釣糸案内部から離脱させないようにする規制部と、を備えている。前記釣糸案内体は、スプール前方において、釣糸巻き取り状態と釣糸放出状態との間で前後方向に回動可能となっており、釣糸巻き取り状態に切り換えられると、釣糸は、規制部によって幅狭の釣糸案内部に案内されるとともに釣糸案内部からの離脱が規制され、そのため、釣糸案内部による案内によってスプールに対して均等に巻回される。また、釣糸案内体が釣糸放出状態に切り換えられると、前記規制部による規制が解除され、釣糸は幅広の開口部に移動して、釣糸を放出する際の放出抵抗が軽減される。
【０００９】
このように、上記した構成の魚釣用リールによれば、釣糸案内体それ自体に、釣糸巻き取り状態時および釣糸放出状態時に糸路を制御する制御部、すなわち、左右方向に幅狭の釣糸案内部と、左右方向に幅広の開口部と、規制部とが形成されているため、特に、本構成では、釣糸巻き取り状態で釣糸を釣糸案内部から離脱させない（釣糸巻き取り状態時に釣糸と接触して釣糸を釣糸案内部へ案内する）規制部が（前述した特許文献１のピラーのように釣糸案内体と別体ではなく）釣糸案内体と一体に設けられているため、構造が簡素化されて、部品点数が削減され、コストの低減を図ることができる。また、釣糸案内体の前後方向にピラーを配置する必要もないため、リール本体の前後方向をコンパクト化することができる。
【００１０】
また、上記した構成の魚釣用リールでは、左右の固定された位置で上下動する別体のピラーによって糸路制御を行なうのではなく、左右に往復動する釣糸案内体それ自体の規制部によって糸路制御を行なうことができるため、釣糸放出時に釣糸が位置される釣糸挿通部の幅寸法が制限を受けることもなく、釣糸挿通部の幅寸法を大きく設定して釣糸の放出抵抗を大きく軽減することが可能になる。更に、上記した構成の魚釣用リールによれば、釣糸巻き取り状態時に釣糸に接触して釣糸を釣糸案内部へ案内する前記規制部が回転可能であるため（釣糸と回転可能に接触するため）、釣糸巻き取り時における釣糸の規制部に対する抵抗（釣糸と規制部との間の摩擦抵抗）が軽減され、したがって、巻き取り操作性の低下を防止できる（あるいは、巻き取り操作性が向上する）とともに、釣糸に付着している異物に伴う擦れ現象による傷発生も軽減できる。また、釣糸案内体の規制部への傷発生を抑制できるため、釣糸へのダメージが低下して、釣糸の寿命も向上する。
【００１１】
なお、上記した構成において、釣糸案内体の切り換えは、釣糸放出状態と釣糸巻き取り状態との間で、釣糸案内体の釣糸に対する位置が変化し、釣糸放出状態では、釣糸が幅広の開口部に位置し、釣糸巻き取り状態では、規制部によって規制されて釣糸が幅狭の釣糸案内部に位置するように構成されていれば良く、両者の間で回動して切り換えられたり、直線的に移動して切り換えられても良い。
【発明の効果】
【００１２】
本発明によれば、構造が簡単で、リール本体の前後方向の長さをコンパクト化することができるとともに、釣糸の放出抵抗および巻き取り抵抗を効果的に軽減できる釣糸案内体を備えた魚釣用リールが得られる。
【図面の簡単な説明】
【００１３】
【図１】本発明に係る魚釣用リールを示し、釣糸案内体部分を露出させた平面図。
【図２】図１に示す魚釣用リールのＡ−Ａ線に沿う断面図であり、釣糸案内体が釣糸巻き取り状態（クラッチＯＮ状態）にあるときの図。
【図３】図１に示す魚釣用リールのＡ−Ａ線に沿う断面図であり、釣糸案内体が釣糸放出状態（クラッチＯＦＦ状態）にあるときの図。
【図４】クラッチプレートと釣糸案内体を回動させる回動プレートとの連結部分の構造を示す断面図。
【図５】釣糸案内体に対する規制部の回転可能な支持構造を示す断面図。
【図６】図１に示す魚釣用リールにおいて、クラッチ機構の動力伝達部分の構成を示す側面図（クラッチＯＮ状態）。
【図７】図１に示す魚釣用リールにおいて、クラッチ機構の動力伝達部分の構成を示す側面図（クラッチＯＦＦ状態）。
【図８】釣糸案内体を拡大して示す斜視図（クラッチＯＮ状態）。
【発明を実施するための形態】
【００１４】
以下、図面を参照しながら本発明に係る魚釣用リールの一実施形態について説明する。なお、以下において、前後方向、左右方向、および、上下方向は、図１および図２に矢印で示される向きで定義される。
【００１５】
特に図１に示されるように、本実施形態に係る魚釣用リールは、左右のフレーム２ａ，２ｂを左右カバー３ａ，３ｂで覆った左右側板１Ａ，１Ｂを備えたリール本体１を有している。リール本体１には、左右側板１Ａ，１Ｂ間に位置し、図示しない釣竿に装着されるリール脚１Ｃが一体形成されている。また、左右のフレーム２ａ，２ｂ間には、スプール軸５が軸受を介して回転可能に支持されており、スプール軸５には、釣糸Ｓが巻回されるスプール５Ａが一体的に固定されている。さらに、左右側板１Ａ，１Ｂ間には、スプール５Ａに対して上方側に、指を載置可能なサムレスト１Ｄが設けられている。
【００１６】
本実施形態では、スプール５Ａを回転駆動するハンドル８を右側板１Ｂ側に設置しており、右フレーム２ｂと右カバー３ｂとの間の空間には、ハンドル８の回転駆動力をスプール軸５に伝達する公知の動力伝達機構１０が配設されている。また、右フレーム２ｂと右カバー３ｂとの間には、スプール軸５を動力伝達状態と動力遮断状態とに切り換える公知のクラッチ機構２０が配設されており、このクラッチ機構２０は、スプール７の後方側の左右側板１Ａ，１Ｂ間に配設されたクラッチ切り換え操作部材（以下、操作部材と称する）２１を押し下げ操作することで、クラッチＯＮ状態（動力伝達状態であり釣糸巻き取り状態）からクラッチＯＦＦ状態（動力遮断状態であり、釣糸放出状態）へ切り換えられるようになっている。なお、クラッチＯＦＦ状態からクラッチＯＮ状態への復帰は、後述する自動復帰機構３０によってハンドル８を回転操作することで行うことが可能となっている。
【００１７】
また、左右の側板１Ａ，１Ｂ間には、スプール５Ａの釣糸繰出し方向側に、レベルワインド装置５０が配設されている。このレベルワインド装置５０は、ハンドル８を回転操作することで、釣糸Ｓを挿通する釣糸案内体６０が左右に往復移動するよう構成されており、釣糸Ｓの巻き取り操作に伴って、スプール５Ａに対して釣糸Ｓを均等に巻回する機能を有する。
【００１８】
駆動力伝達機構１０は、ハンドル８が固定されたハンドル軸８ａにドラグ機構と関連して回転可能に装着された駆動歯車１１と、この駆動歯車１１に噛合するピニオン１２とを備えている。ピニオン１２は、スプール軸５と同軸上に設置されており、ピニオン軸（スプール軸５であっても良い）１２ａに沿って軸方向に移動可能となっている。また、ピニオン１２の外周には、円周溝１２ｂが形成されており、この円周溝１２ｂに、後述するクラッチ機構２０のヨーク２２が係合して、ピニオン１２を軸方向に移動させるようになっている。すなわち、ピニオン１２が軸方向に移動することで、スプール軸５との間で継脱がなされ、動力伝達状態（クラッチＯＮ）／動力遮断状態（クラッチＯＦＦ）に切り換えられるようになっている。
【００１９】
クラッチ機構２０は、右フレーム２ｂに対して回動可能に支持され、振り分けバネ２３によって、図６に示す動力伝達状態（クラッチＯＮ状態）と、図７に示す動力遮断状態（クラッチＯＦＦ状態）に振り分け保持されるクラッチプレート２５を備えている。このクラッチプレート２５は、右フレーム２ｂに上下方向に形成された連結孔２ｄを介して操作部材２１と連結されており、クラッチプレート２５に形成された長孔２５ａに、右フレーム２ｂに突出するように設けられたピン２ｅが挿入されて、その回動駆動が案内されるようになっている。
【００２０】
クラッチプレート２５の表面には、公知のように、ピニオン１２の円周溝１２ａに係合したヨーク２２と係合可能な一対のカム面（図示せず）が形成されている。ヨーク２２の先端側は、右フレーム２ｂに突設された支持ピン２７によって保持されており、ヨーク２２は、各支持ピン２７に配設されたバネ部材（図示せず）によって常時、クラッチプレート２５側に付勢された状態となっている。なお、図６は、図示されていないヨーク２２がバネ部材によってクラッチプレート２５側に付勢された状態を示しており、このとき、ピニオン１２はスプール軸５の端部に形成されている係合部に嵌合してクラッチＯＮ状態となっている。
【００２１】
クラッチプレート２５は、操作部材２１が、図６の矢印に示すように押下げ操作されると反時計回り方向に回動され、前記カム面およびヨーク２２を介して、ピニオン１２をスプール軸５の端部に形成されている係合部から離脱させ、図７に示すように、クラッチＯＦＦ状態に切り換える。なお、この状態は、振り分けバネ２３によって保持される。
【００２２】
また、クラッチプレート２５には、クラッチをＯＦＦ状態からＯＮ状態にする自動復帰機構３０が設けられている。この自動復帰機構３０は、クラッチプレート２５に一体的に設けられるキック部材３１と、ハンドル軸８ａに回り止め固定されるラチェット３２とを備えており、キック部材３１は、クラッチＯＮからクラッチＯＦＦに切り換えると、図７に示すように、ラチェット３２の回転軌跡内に侵入するように配置されて構成されている。このため、クラッチＯＦＦ状態において、ハンドル８を巻き取り操作すると、ラチェット３２の回転によりキック部材３１がキックされて、自動的にクラッチプレート２５がクラッチＯＮ状態の位置に復帰され、その復帰状態が再び振り分けバネ２３のバネ力で保持される。なお、クラッチの復帰は、操作部材２１を押し上げ操作しても行うことが可能である。
【００２３】
スプール５Ａの前方側の左右側板１Ａ，１Ｂ間には、レベルワインド装置５０が配置されている。以下、レベルワインド装置５０の構成について、図２〜図５、図８を併せて参照しながら説明する。なお、これらの図において、図２は、図１に示す魚釣用リールのＡ−Ａ線に沿う断面図であり、釣糸案内体６０が釣糸巻き取り状態（クラッチＯＮ状態）にあるときの図、図３は、図１に示す魚釣用リールのＡ−Ａ線に沿う断面図であり、釣糸案内体６０が釣糸放出状態（クラッチＯＦＦ状態）にあるときの図、図４は、クラッチプレート２５と釣糸案内体６０を回動させる回動プレート５９との連結部分の構造を示す断面図、図５は、釣糸案内体６０に対する規制部６９の回転可能な支持構造を示す断面図、図８は、釣糸案内体６０を拡大して示す斜視図（クラッチＯＮ状態）である。
【００２４】
レベルワインド装置５０は、スプール５Ａに巻回された釣糸Ｓを挿通させる釣糸案内体６０を備えており、この釣糸案内体６０は、軸受５２（図４参照）を介して左右側板１Ａ，１Ｂ間に回転可能に支持され且つ駆動力伝達機構１０を介して回転可能に駆動される螺軸（ウォームシャフト）５１によって、左右往復駆動されるよう構成されている。すなわち、螺軸５１の右フレーム２ｂ側には、ハンドル軸８ａに装着された駆動歯車１１と隣接して配設されてハンドル軸８ａと一体的に回転する連結ギア（図示せず）と噛合する入力ギア５３が設けられており、螺軸５１は、連結ギア及び入力ギア５３を介して、ハンドル８の回転駆動と同期して回転駆動されるようになっている。
【００２５】
螺軸５１は、左右側板１Ａ，１Ｂ間に回動可能に保持される管状体（筒体）５５内に収容された状態となっており、管状体５５の外面には、軸方向に延出する長孔５５ａが形成され、螺軸５１の表面に形成された螺旋溝５１ａを軸方向に沿って部分的に露出させている。また、釣糸Ｓを挿通させる釣糸案内体６０は、釣糸挿通部６０Ａと保持部６０Ｂとを一体的に備えており、保持部６０Ｂが管状体５５を囲繞するように配置されて形成されている。
【００２６】
保持部６０Ｂは、その内部に、長孔５５ａを介して螺旋溝５１ａと係合する摺動子６１を保持している。この摺動子６１は、袋ナット６２によって、保持部６０Ｂに対して固定される。また、釣糸案内体６０は、螺軸５１の回転に伴って、螺旋溝５１ａと摺動子６１との係合関係により、軸方向に沿って移動しつつ、管状体５５の周りで回転しないように回り止めされている。本実施形態の構成では、管状体５５の外周に軸方向に沿って延出する回り止め部５５ｂを形成しており、回り止め部５５ｂに対して保持部６０Ｂの係合部６４を係合させることで、回り止めを果たしている。具体的には、回り止め部５５ｂは、管状体５５の外周に軸方向に延出する突起（図２，図３に示すように、１８０°間隔で一対設けられている）として構成されており、係合部６４は、そのような突起に入り込む凹部として構成されている。
【００２７】
上記のように、螺軸５１を収容する管状体５５に回り止め部５５ｂを一体形成することで、従来のように、釣糸案内体６０を回り止めするガイド軸を配設する必要がなくなり、レベルワインド装置５０の構造を簡素化することが可能となる。
【００２８】
また、釣糸案内体６０は、螺軸５１が回転駆動されると、摺動子６１を介して左右側板１Ａ，１Ｂ間で往復駆動されるとともに、本実施形態では、上述したクラッチ機構２０のＯＮ／ＯＦＦに連動して釣糸巻き取り状態と釣糸放出状態との間で切り換えられるように、回動可能に構成されている。この場合、釣糸案内体６０の回動駆動については、管状体５５を回動駆動することで成されるようになっている。
【００２９】
ここで、クラッチ機構２０から管状体５５への動力伝達経路を具体的に説明する。  
クラッチプレート２５には、リール本体１の前方側に向けて突出する突片２５ｂが形成されており、その先端には、右フレーム２ｂ側に向けて突出する係合突起２５ｃが一体形成されている。一方、右フレーム２ｂには、螺軸５１が支持される部分に回動プレート５９が保持されており（図４参照）、管状体５５は、右フレーム２ｂの内面側において、回動プレート５９と回り止め固定されている。すなわち、回動プレート５９には、径方向に突出する凸部５９ａが形成されており、この凸部５９ａに、管状体５５の端部に形成された凹部５５ｃが嵌合することで、両者は、右フレーム２ｂの内面側で固定された状態（一体回動可能な状態）となっている。
【００３０】
回動プレート５９は、螺軸５１を回転可能に支持する軸受５２の外輪と右フレーム２ｂとの間で回動可能に支持されており、右フレーム２ｂの外面側に沿って、クラッチプレート２５の突片２５ｂと係合する連結片５９ｂが形成されている。そして、連結片５９ｂには、長孔５９ｃが形成されており、この長孔５９ｃに、クラッチプレート２５の突片２５ｂの係合突起２５ｃが遊挿されることで、回動プレート５９は、図６および図７に示されるように、クラッチプレート２５の回動に伴って螺軸５１の軸芯を中心に回動されるようになっている。したがって、回動プレート５９は、振り分けバネ２３によって、釣糸巻き取り状態と釣糸放出状態との間で振り分け保持されるクラッチプレート２５とともに、２つの位置で切り換えられるようになっている。
【００３１】
釣糸案内体６０は、回動プレート５９を介して、管状体５５が回動駆動されることで、スプール５Ａの前方において、前後方向に回動駆動される。ここで、釣糸案内体６０の釣糸挿通部６０Ａの構成について、具体的に説明する。
【００３２】
釣糸挿通部６０Ａは、スプール５Ａからの釣糸Ｓを挿通させる部分であり、ＳＵＳ、チタン等の釣糸抵抗が少ない材料によるフレーム体６０Ｆとして構成されており、図８に示されるように、保持部６０Ｂとともに一体形成されている。具体的には、釣糸挿通部６０Ａは、左右方向に幅狭（細溝状）となった釣糸案内部６７と、その釣糸案内部６７の上方側で、略対称となるように左右方向に拡がる幅広の開口部６８とを備えている。この場合、開口部６８は、釣糸放出状態となったときの正面視（挿通される釣糸Ｓに沿って前方から見た正面視）で、左右方向に拡がる略楕円形状となるように形成されており、その両サイドの傾斜壁６８ａ，６８ａは、開口部６８の略中央の下部に形成される釣糸案内部６７に向けて傾斜して釣糸Ｓを案内する傾斜案内面となっている。
【００３３】
開口部６８を画定するフレーム体６０Ｆは、釣糸放出状態で側面視した際、前後方向に対して傾斜した状態（後方側に向けて次第に立ち上がる形状）となっており、前記傾斜壁６８ａ，６８ａと、この傾斜壁６８ａ，６８ａから釣糸Ｓの導出方向へ略直線的に延びる側壁部６８ｂ，６８ｂと、開口部６８を閉塞するように側壁部６８ｂ，６８ｂ同士を連結する略丸棒状の管状部材から成る規制部６９とによって形成される。この場合、規制部６９は、釣糸案内体６０が釣糸放出状態（図３および図７の状態）から釣糸巻き取り状態（図２、図６、および、図８に示される状態）へと回動した際、開口部６８内に挿通されている釣糸Ｓに対して、上側から当接できる位置関係となっており、釣糸Ｓを釣糸案内部６７から離脱させないように規制する。また、規制部６９は、図５に明確に示されるように、その両端部６９ａ，６９ａがフレーム体６０Ｆの側壁部６８ｂ，６８ｂに対して回転可能に支持されている。具体的には、規制部６９は、その両端の小径の支軸９１に摺動性を向上させるためのカラー９１ａが嵌合されて側壁部６８ｂ，６８ｂの貫通孔８２内に挿通された状態で回転可能に支持されており、端部に装着した止め輪９０で側壁部６８ｂ，６８ｂに抜け止めされている。
【００３４】
また、左右方向に幅狭となった釣糸案内部６７は、上下方向に延出しており、そこに入り込んだ釣糸Ｓの左右方向のブレを防止して、スプール５Ａに対して、安定して釣糸を平行巻きする機能（糸巻状態を向上する機能）を有する。
【００３５】
なお、上記した構成において、釣糸案内部６７を規定する両壁６７ａは、図２および図３に示されるように、摺動子６１を固定する袋ナット６２の上方を覆うように伸びていることが好ましく、このような構成により、釣糸案内部６７に入り込んでいる釣糸が、袋ナット６２の部分で絡むことを効果的に防止することが可能となる。また、釣糸案内部６７の底面６７ｃは、図２に示す釣糸巻き取り状態において、前方に向けて次第に下方向に傾斜する傾斜面となっていることが好ましい。すなわち、このような底面形状にすることにより、スプール５Ａから傾斜した状態で繰り出される釣糸Ｓとの摩擦抵抗の低減が図れるようになる。
【００３６】
次に、上述したように構成される魚釣用リールの作用および効果について説明する。  
図２および図６に示されるクラッチＯＮ状態において、スプール５Ａの後方側に位置する操作部材２１を押し下げ操作すると、クラッチ機構２０を構成するクラッチプレート２５は、反時計回りに回動され、振り分けバネ２３によって、図７に示される状態に保持される。このとき、クラッチプレート２５の表面に形成されたカム面がヨーク２２を軸方向にシフトさせ、ピニオン１２をスプール軸５から離脱させる（クラッチＯＦＦ状態）。また、この操作によるクラッチプレート２５の回動に伴って、回動プレート５９は、螺軸５１の軸芯を中心に回動され、これに回り止めされている管状体５５は、図２（図６）に示される位置から、図３（図７）に示される位置に回動される。
【００３７】
したがって、釣糸案内体６０は、管状体５５に保持されていることから、図２および図８に示される状態から、図３および図７に示されるように回動される。そして、このように回動された釣糸案内体６０は、スプール５Ａがフリー回転可能な状態（釣糸放出状態）となっており、釣糸案内部６７に入り込んでいる釣糸Ｓは、規制部６９による規制が外れ、開口部６８に移動する。なお、通常、釣糸放出状態では、スプール５Ａに対する釣糸の巻回量が多いため、規制部６９の規制が外れることで、釣糸は、直ちに開口部６８に移動することができる。
【００３８】
この状態で、スプール５Ａはフリー回転可能状態となっており、キャスティング操作等により、釣糸Ｓは放出される。この場合、釣糸案内体６０は、スプール５Ａの前方において、図３および図７に示される状態に回動されており、その開口部６８は、左右方向に幅広状に形成されていることから、その内面から接触抵抗を受けることが少なくなり、仕掛けの飛距離を低下させるようなことはない。すなわち、釣糸を放出する際に、釣糸案内体６０からの放出抵抗を軽減することが可能となる。
【００３９】
そして、クラッチ機構２０をＯＮに復帰させるべく、ハンドル８を巻き取り操作すると、自動復帰機構３０によって、クラッチプレート２５は、図６に示される位置に自動復帰する。このクラッチプレート２５のＯＮ状態の復帰に伴って、管状体５５は、回動プレート５９を介して、図２および図６に示される状態に回動され、釣糸案内体６０は、図２，６，８に示される位置に切り換えられる。このとき、開口部６８のいずれかの部分に位置している釣糸Ｓは、回動する規制部６９が当て付いて押し付けられ、開口部６８の傾斜案内面６８ａに沿って確実に中央に位置する釣糸案内部６７に案内される。また、図８に示されるように、釣糸巻き取り状態では、釣糸Ｓは、規制部６９によって釣糸案内部６７から離脱することはない。
【００４０】
その後、ハンドル８を巻き取り操作することで、上記したレベルワインド装置５０の螺軸５１は、ハンドル軸８ａに設けられた連結ギアおよびこれに噛合する入力ギア５３を介して回転駆動される。螺軸５１が回転駆動されることで、釣糸案内体６０は、螺軸５１の外周面に形成された螺旋溝５１ａと係合する摺動子６１を介して、管状体５５に沿って左右往復動される。この場合、管状体５５の外周には、軸方向に沿って延出する回り止め部５５ｂが形成されているため、釣糸案内体６０は、軸回りに回転することなく、左右に往復駆動される。これにより、釣糸Ｓは、左右方向に幅狭となった釣糸案内部６７によって、スプール５Ａに対して、安定して平行巻きされ、さらには、規制部６９の位置によって、釣糸案内部６７から離脱することもない（釣糸Ｓは、規制部６９によって押し付けられ、傾斜案内面６８ａに沿って確実に釣糸案内部６７に案内される）ため、常時、安定した平行巻き状態が確保される。特に、この場合、規制部６９は、釣糸案内体６０に回転可能に支持されており、釣糸Ｓに回転可能に接触するため、釣糸Ｓとの摩擦抵抗を軽減できる。  なお、スプール５Ａに対する釣糸Ｓの巻回量が少ない場合、例えば、釣糸を多量に放出した状態では、釣糸案内部６７に位置する釣糸Ｓは、規制部６９に接触していなくても良い。
【００４１】
以上説明したように、本実施形態の魚釣用リールによれば、釣糸案内体６０それ自体に、釣糸巻き取り状態時および釣糸放出状態時に糸路を制御する制御部、すなわち、左右方向に幅狭の釣糸案内部６７と、左右方向に幅広の開口部６８と、規制部６９とが形成されているため、特に、本実施形態では、釣糸巻き取り状態で釣糸Ｓを釣糸案内部６７から離脱させない（釣糸巻き取り状態時に釣糸Ｓと接触して釣糸Ｓを釣糸案内部６７へ案内する）規制部６９が（先に説明した特許文献１のピラーのように釣糸案内体と別体ではなく）釣糸案内体６０と一体に設けられているため、構造が簡素化されて、部品点数が削減され、コストの低減を図ることができる。また、釣糸案内体６０の前後方向にピラーを配置する必要もないため、リール本体１の前後方向をコンパクト化することができる。
【００４２】
また、本実施形態の魚釣用リールでは、左右の固定された位置で上下動する別体のピラーによって糸路制御を行なうのではなく、左右に往復動する釣糸案内体６０それ自体の規制部６９によって糸路制御を行なうことができるため、釣糸放出時に釣糸が位置される釣糸挿通部６０Ａ（開口部６８）の幅寸法が制限を受けることもなく、釣糸挿通部６０Ａの幅寸法を大きく設定して釣糸Ｓの放出抵抗を大きく軽減することが可能になる。更に、本実施形態の魚釣用リールによれば、釣糸巻き取り状態時に釣糸Ｓに接触して釣糸Ｓを釣糸案内部６７へ案内する規制部６９が回転可能であるため（釣糸Ｓと回転可能に接触するため）、釣糸巻き取り時における釣糸Ｓの規制部６９に対する抵抗（釣糸Ｓと規制部６９との間の摩擦抵抗）が軽減され、したがって、巻き取り操作性の低下を防止できる（あるいは、巻き取り操作性が向上する）とともに、釣糸Ｓに付着している異物に伴う擦れ現象による傷発生も軽減できる。また、釣糸案内体６０の規制部６９への傷発生を抑制できるため、釣糸Ｓへのダメージが低下して、釣糸Ｓの寿命も向上する。
【００４３】
なお、本発明は、前述した実施形態に限定されず、その要旨を逸脱しない範囲で種々変形して実施できる。例えば、釣糸案内体６０については、その形状を適宜、変形することが可能である。また、釣糸案内体６０は、釣糸と接触する部分に、耐摩耗性を有するとともに、摺動抵抗の少ない部材（釣糸接触部材）を取着しておいても良い。このような釣糸接触部材を取着しておくことで、釣糸放出時や釣糸巻き取り時に釣糸が接触しても、切れることを防止でき、かつ接触抵抗を更に軽減することが可能となる。また、前述した実施形態では、釣糸案内体６０をクラッチ機構２０と連動して回動するように構成したが、クラッチ機構とは連動しなくても良いし、上下動させるなど、回動しない構成であっても良い。また、釣糸案内体６０を回動するに際しては、管状体５５の外周に、軸方向に延出する突起を設けて回り止めしたが、管状体５５に形成される長孔５５ａのエッジによって回り止めするようにしても良い。また、規制部６９の形態は、回転可能であればどのような形態（例えば、複数のローラから成るなど）であってもよい。
【符号の説明】
【００４４】
１  リール本体
１Ａ，１Ｂ  左右側板
５  スプール軸
５Ａ  スプール
８  ハンドル
２０  クラッチ機構
５０  レベルワインド装置
６０  釣糸案内体
６７  釣糸案内部
６８  開口部
６９  規制部
【図１】
2014042456.tif 000003
【図２】
2014042456.tif 000004
【図３】
2014042456.tif 000005
【図４】
2014042456.tif 000006
【図５】
2014042456.tif 000007
【図６】
2014042456.tif 000008
【図７】
2014042456.tif 000009
【図８】
2014042456.tif 000010